(57)【要約】      （修正有）【課題】リールシート本体のサイズや外形形状を変更することができ、より良好なパーミング、サミングが可能となるリールシートの提供。【解決手段】このリールシート１０は、釣竿を構成するブランクに装着され、釣用リールを保持する。リールシート１０は、ブランクに取り付けられたアダプタ１２と、リールシート本体と、締付ナット１４とを備える。アダプタ１２は、ベース１６とアダプタ本体とを有する。アダプタ本体は、主管部２２とフランジ２３を備える。締付ナット１４は、主管部２２の前端部にねじ込まれる。締付ナット１４は、リールシート本体１３をフランジ２３との間で挟持する。締付ナット１４に設けられた可動フード３６は、リールシート本体１３に設けられた固定フード３２との間で釣用リールを挟持する。締付ナット１４が外されると、リールシート本体１３がアダプタ１２から外れる。【選択図】図５
2019154371.tif 000002
【特許請求の範囲】
【請求項１】
釣竿を構成するブランクが軸方向に沿って挿入される筒状アダプタと、
当該筒状アダプタに着脱自在に外嵌され、釣用リールの脚が載置されるシート面及び当該脚を保持する第１フードを有するリールシート本体とを備えたリールシート。
【請求項２】
上記筒状アダプタと上記リールシート本体との間に、両者を相対的に位置決めする位置決め機構が設けられている請求項１に記載のリールシート。
【請求項３】
上記位置決め機構は、
上記筒状アダプタの外周面に上記軸方向に沿って形成された係合溝と、
上記リールシート本体の内周面に突設され、上記係合溝とスライド自在に係合する係合突起とを有する請求項２に記載のリールシート。
【請求項４】
上記位置決め機構は、上記筒状アダプタに形成され、上記リールシート本体の一端が当接するフランジを有し、
上記筒状アダプタの他端部に螺合され、上記第１フードと対向して上記脚を保持する第２フードを有する締付ナットがさらに設けられており、
当該締付ナットは、上記他端部に締め込まれることによって、上記リールシート本体の他端を押圧して上記フランジと協働して当該リールシート本体を挟持し、且つ上記第２フードが上記第１フードと協働して上記脚を挟持するものである請求項２又は３に記載のリールシート。
【発明の詳細な説明】
【技術分野】
【０００１】
この発明は、釣用リールを保持するリールシートの構造に関する。
【背景技術】
【０００２】
釣用リールは、一般にリールシートを介して釣竿に固定される。リールシートは、釣用リールを保持すると共に、釣人が把持するグリップとして機能する。たとえばベイトリールがリールシートに装着される場合、釣人にとって良好なパーミングが実現されることが重要であり、スピニングリールが装着される場合には、良好なサミングが実現されることが重要である。したがって、釣りのジャンルに応じて、リールシートのサイズや外形形状が設計される（たとえば、特許文献１〜特許文献３参照）。
【先行技術文献】
【特許文献】
【０００３】
【特許文献１】特開２０１６−７７１７８号公報
【特許文献２】特開２０１７−６３６７４号公報
【特許文献３】特開２０１８−７５７６号公報
【発明の概要】
【発明が解決しようとする課題】
【０００４】
ところで、パーミングやサミングは、釣人の癖や好みに応じて微妙に変化するものであるが、その一方で、一旦設計されたリールシートの形状を変更することはできない。そのため、釣人は、従来のリールシートに何某かの違和感や不満を感じることが多かった。
【０００５】
本発明はかかる背景のもとになされたものであって、その目的は、サイズや外形形状を変更することができ、より良好なパーミング、サミングが可能となるリールシートを提供することである。。
【課題を解決するための手段】
【０００６】
(1) 本発明に係るリールシートは、釣竿を構成するブランクが軸方向に沿って挿入される筒状アダプタと、当該筒状アダプタに着脱自在に外嵌され、釣用リールの脚が載置されるシート面及び当該脚を保持する第１フードを有するリールシート本体とを備えている。
【０００７】
この構成によれば、筒状アダプタがブランクに装着され、リールシート本体が筒状アダプタに嵌め合わされる。釣用リールは、リールシート本体に取り付けられる。このリールシート本体は、筒状アダプタに対して着脱自在であるから、予め仕様の異なる複数のリールシート本体が用意されることにより、釣人は、所望のリールシート本体を選択して筒状アダプタに装着することができる。
【０００８】
(2) 上記筒状アダプタと上記リールシート本体との間に、両者を相対的に位置決めする位置決め機構が設けられているのが好ましい。
【０００９】
この構成では、リールシート本体が交換される際に、筒状アダプタに対して常に一定の姿勢ないし向きでリールシート本体が装着される。したがって、リールシート本体の交換作業が簡単になる。
【００１０】
(3) 上記位置決め機構は、上記筒状アダプタの外周面に上記軸方向に沿って形成された係合溝と、上記リールシート本体の内周面に突設され、上記係合溝とスライド自在に係合する係合突起とを有するのが好ましい。
【００１１】
この構成では、上記係合溝に係合突起が挿入されるようにリールシート本体が筒状アダプタに嵌め合わされるだけで、きわめて簡単にリールシート本体の位置決めが行われる。
【００１２】
(4) 上記位置決め機構は、上記筒状アダプタに形成され、上記リールシート本体の一端が当接するフランジを有ていてもよい。その場合、上記筒状アダプタの他端部に螺合され、上記第１フードと対向して上記脚を保持する第２フードを有する締付ナットがさらに設けられているのが好ましい。当該締付ナットは、上記他端部に締め込まれることによって、上記リールシート本体の他端を押圧して上記フランジと協働して当該リールシート本体を挟持し、且つ上記第２フードが上記第１フードと協働して上記脚を挟持するものである。
【００１３】
この構成では、釣人は、筒状アダプタにリールシート本体を装着し且つ当該リールシート本体に釣用リールを取り付け、締付ナットを筒状アダプタにねじ込むと、当該締付ナットがリールシート本体を上記フランジとの間で挟み込んで固定すると同時に、第２フード及び第１フードが釣用リールの脚を挟み込んで固定する。つまり、締付ナットを締め込む動作のみで、リールシート本体及び釣用リールが簡単に固定される。
【発明の効果】
【００１４】
この発明によれば、釣人は、リールシート本体を容易に交換して筒状アダプタに装着することができるから、所望のサイズ及び外形形状のリールシートを選択することができる。したがって、実釣において、より良好なパーミング、サミングが可能となる。
【図面の簡単な説明】
【００１５】
【図１】図１は、本発明の一実施形態に係るリールシートの正面図である。
【図２】図２は、本発明の一実施形態に係るリールシートの平面図である。
【図３】図３は、本発明の一実施形態に係るリールシートの拡大左側面図である。
【図４】図４は、本発明の一実施形態に係るリールシートの拡大右側面図である。
【図５】図５は、図１におけるV-V断面図である。
【図６】図６は、本発明の一実施形態に係るアダプタの正面図である。
【図７】図７は、本発明の一実施形態に係るアダプタ平面図である。
【図８】図８は、本発明の一実施形態に係るアダプタの拡大左側面図である。
【図９】図９は、本発明の一実施形態に係るアダプタの拡大右側面図である。
【図１０】図１０は、、図６におけるX-X断面図である。
【図１１】図１１は、本発明の一実施形態に係るリールシート本体の正面図である。
【図１２】図１２は、本発明の一実施形態に係るリールシート本体の平面図である。
【図１３】図１３は、図１１におけるXIII-XIII断面図である。
【図１４】図１４は、本発明の一実施形態に係るリールシート本体の左側面図である。
【図１５】図１５は、本発明の一実施形態に係るリールシート本体の右側面図である。
【発明を実施するための形態】
【００１６】
以下、本発明の好ましい実施形態が、適宜図面が参照されながら説明される。なお、本実施の形態は、本発明に係るリールシートの一態様にすぎず、本発明の要旨を変更しない範囲で実施態様が変更されてもよいことは言うまでもない。
【００１７】
＜リールシートの構成＞
【００１８】
図１は、本発明の実施形態に係るリールシート１０の正面図である。図２〜図４は、それぞれ、リールシート１０の平面図、拡大左側面図及び拡大右側面図である。図５は、図１におけるV-V断面図である。
【００１９】
リールシート１０は、釣竿を構成するブランク１１に装着され、釣用リールを保持するものである。このリールシート１０は、ブランク１１に取り付けられたアダプタ１２（特許請求の範囲に記載された「筒状アダプタ」に相当）と、リールシート本体１３と、締付ナット１４とを備えている。ブランク１１は、アダプタ１２に対して挿抜自在であるのが好ましい。本実施形態の特徴とするところは、アダプタ１２に対してリールシート本体１３が着脱自在に設けられている点であり、これにより、釣人は、実釣においてリールシート本体１３を交換することが可能になっている。
【００２０】
図６〜図９は、それぞれ、アダプタ１２の正面図、平面図、拡大左側面図及び拡大右側面図である。図１０は、図６におけるX-X断面図である。
【００２１】
ブランク１１（図１参照）は、軸方向１５に沿ってアダプタ１２に挿入されている。このアダプタ１２は、ベース１６及びアダプタ本体１７を有する。これらは樹脂（ポリアミド（ＰＡ）のほか炭素繊維にて強化された樹脂等）から一体的に構成されるのが好ましい。図１０が示すように、ベース１６は、円筒部材であり、ブランク１１は、このベース１６の内側に嵌め合わされて固定される。ベース１６の外径、内径及び長さは、釣竿の仕様に対応して適宜設計される。
【００２２】
アダプタ本体１７は、図６及び図１０が示すように、ベース１６に外嵌され、固定されている。ベース１６に対するアダプタ本体１７の位置は、当該釣竿の仕様により適宜設計され得る。本実施形態では、ベース１６の前端部１８は、アダプタ本体１７から前側１９に所定寸法Ａだけ突出し、ベース１６の後端部２０は、アダプタ本体１７から後側２１に所定寸法Ｂだけ突出している。
【００２３】
アダプタ本体１７は、円筒状の主管部２２及びフランジ２３を備えている。主管部２２の内径はベース１６の外径に対応している。主管部２２の外径は特に限定されるものではないが、薄肉であることが望ましい。主管部２２の長さ寸法Ｃは特に限定されるものではないが、９０ｍｍ〜１６０ｍｍの範囲で適宜設定され得る。ただし、この長さ寸法Ｃが所定寸法に設定されることにより、フランジ２３は、後述の作用効果を奏する。
【００２４】
主管部２２の前端部２４に雄ネジ２５が形成されている。主管部２２の前端から後側２１に向かって一対のキー溝２６（特許請求の範囲に記載された「係合溝」に相当）が形成されている。このキー溝２６は、主管部２２の径方向に沿って対向するように配置されている。キー溝２６が形成されることにより、上記雄ネジ２５の一部が欠損している（図６参照）。キー溝２６の幅寸法、深さ寸法及び長さ寸法は、適宜設定され得る。本実施形態では、これらは、２ｍｍ×０．７ｍｍ×１４ｍｍに設定されている。このキー溝２６の機能については後述される。
【００２５】
主管部２２の後端にフランジ２３が形成されている。フランジ２３は円盤状を呈し、その外径寸法及び肉厚寸法は、適宜設定され得る。本実施形態では、これらは、２４ｍｍ×５ｍｍに設定されている。本実施形態では、フランジ２３の外周面に４つの溝２９（特許請求の範囲に記載された「係合溝」に相当）が設けられている。これら溝２９は、図８及び図９が示すように、Ｖ字状に形成されており、フランジ２３の外周面を軸方向１５に切欠くように延びている。各溝２９は、フランジ２３の周方向に沿って均等に配置されている。なお、溝２９の数は特に限定されるものではなく、また、フランジ２３の周方向に沿って均等に配置されていなくてもよい。もっとも、溝２９は省略されてもよい。
【００２６】
図１１及び図１２は、リールシート本体１３の正面図及び平面図である。図１３は、図１１におけるXIII-XIII断面図である。図１４及び図１５は、リールシート本体１３の左側面図及び右側面図である。
【００２７】
リールシート本体１３は、図１３が示すように全体として筒状を呈し、樹脂あるいは金属により構成される。リールシート本体１３を構成する材料としては、ポリアミド（ＰＡ）のほか炭素繊維にて強化された樹脂等が好ましい。このリールシート本体１３は、図５が示すように、アダプタ１２に外嵌されている。具体的には、リールシート本体１３は、主管部２２の外側に嵌め合わされている。図５及び図１３が示すように、リールシート本体１３の内径Ｄは、主管部２２の外径に対応しており、両者は、がたつくことなく嵌合する。図１３が示すように、リールシート本体１３の後端部２７に座２８が設けられている。この座２８は、図１５が示すように、上記フランジ２３の外形形状に対応しており、円形の凹部である。この座２８の内周面に４つの爪３０（特許請求の範囲に記載された「係合突起」に相当）が突設されている。これらは座２８の周方向に沿って均等に配置されており、リールシート本体１３の中心に向かって突出している。各爪３０の形状は、上記溝２９に対応しており、両者は確実に嵌合することができるようになっている。上記フランジ２３並びに爪３０及び上記溝２９によって後述される位置決め機構が構成されている。もっとも、上記溝２９が省略された場合は、爪３０も省略され得る。
【００２８】
図１１、図１２及び図１及び図２が示すように、リールシート本体１３の上面にシート面３１が形成されている。シート面３１は平坦面であり、釣用リールの脚が載置される。なお、釣用リールの脚は、一般に略Ｔ字状を呈するため、当該脚はシート面３１に載置された状態で前側１９及び後側２１に延びる。上記シート面３１の後側２１に、当該シート面３１に隣接して固定フード３２（特許請求の範囲に記載された「第１フード」に相当）が設けられている。この固定フード３２は、リールシート本体１３と一体的に形成されており、上記釣用リールの脚が挿入されるようになっている。この固定フード３２の構造は既知であるため、その詳細な説明は省略されるが、上記脚が挿入されることにより、当該脚が固定フード３２の内壁面によって囲繞され、保持される。
【００２９】
リールシート本体１３は、本実施形態ではトリガ３３が設けられている。このトリガ３３は、リールシート本体１３にベイトリールが装着された場合に、釣人が指を掛けることができるようになっている。もっとも、トリガ３３が省略されてもよい。
【００３０】
リールシート本体１３の外周面の形状は特に限定されるものではなく、釣用リールの仕様に応じて、あるいは釣竿の仕様に応じて適宜設計変更され得る。図１１及び図１２が示すように、シールシート本体１３の前端部３４は、前側１９に向かって縮径され、段部３５が設けられている。この段部３５は、後述の可動フード３６が嵌合するようになっており、可動フード３６が段部３５に嵌め合わされることにより、当該可動フード３６は、リールシート本体１３の外周面と滑らかに連続するようになっている。
【００３１】
図１３及び図１４が示すように、リールシート本体１３の前端部３４の内側にキー３７（特許請求の範囲に記載された「係合突起」に相当）が突設されている。このキー３７は、軸方向１５に沿って延びており、その外形形状は、上記主管部２２のキー溝２６（図６及び図８参照）の内壁面形状に対応している。本実施形態では、２つのキー３７がリールシート本体１３に突設されており、これらは、上記キー溝２６と対向する位置に配置されている。キー３７の数は特に限定されるものではないが、上記キー溝２６の数に対応されるのが好ましい。後述されるように、キー３７は、上記キー溝２６と嵌合するようになっており、キー３７及び上記キー溝２６によってリールシート本体１３の位置決め機構が構成されている。
【００３２】
なお、リールシート本体１３の側面に貫通孔３８が設けられている。この貫通孔３８が設けられることによりリールシート本体１３が軽量化されると共に、デザイン上のアクセントとなる。
【００３３】
図１及び図２が示すように、締付ナット１４は、軸方向１５に沿ってリールシート本体１３にねじ込まれている。締付ナット１４は、ナット本体３９及び上記可動フード３６を備えており、既知の構造である。可動フード３６は、ナット本体３９に対して回転自在に設けられている。可動フード３６は、図５及び図６が示すように、主管部２２に外嵌される。可動フードの内周面に図示されていない突起が設けられており、この突起が上記キー溝２６に嵌め込まれる。この突起は、キー溝２６に沿ってスライド自在である。ナット本体１４は、上記雄ネジ２５と螺合する。ナット本体１４が回転されると、軸方向１５に沿って締付ナット１４がスライドし、可動フード３６が上記固定フード３２に対して接離する。可動フード３６の内壁面形状は、上記釣用リールの脚が挿入されることにより、当該脚が可動フード３６によって囲繞され、保持されるように形成されている。
【００３４】
＜作用効果＞
【００３５】
このリールシート１０では、アダプタ１２に対してリールシート本体１３が嵌め合わされる。釣用リールは、リールシート本体１３に取り付けられる。前述のように締付ナット１４がアダプタ１２にねじ込まれることにより、リールシート本体１３のシート面３１に載置された釣用リールの脚が、固定フード３２及び可動フード３６によって挟持される。この締付ナット１４が取り外され、ブランク１１がアダプタ１２から抜脱されることにより、リールシート本体１３がアダプタ１２から外れる。つまり、リールシート本体１３が着脱自在であるから、釣人は、予め仕様の異なる複数のリールシート本体を用意することにより、実釣において所望のリールシート本体を選択して使用することができる。その結果、釣人は、所望のサイズ及び外形形状のリールシートを選択することができ、実釣において、より良好なパーミング、サミングが可能となる。加えて、実釣において、ベイトリールをスピニングリールに代えて相互に取り替えることができる。
【００３６】
本実施形態では、上記位置決め機構が構成されている。リールシート本体１３が交換される際に、アダプタ１２に対してリールシート本体１３が常に一定の姿勢ないし向きで装着される。したがって、リールシート本体１３の交換作業が簡単になる。
【００３７】
この位置決め機構は、上記主管部２２のフランジ２３に設けられた溝２９（図６及び図９参照）とリールシート本体１３に設けられた爪３０（図１３及び図１５参照）とを有する。両者が嵌合するようにリールシート本体１３がアダプタ１２に嵌め合わされるだけで、きわめて簡単にリールシート本体１３の位置決めが可能である。しかも、本実施形態では、上記主管部２２に設けられたキー溝２６及び（図６参照）リールシート本体１３に設けられたキー３７によっても位置決め機構が構成されるから、アダプタ１２に対するリールシート本体１３の位置決めがより確実となる。
【００３８】
本実施形態では、上記フランジ２３がリールシート本体１３の座２８と嵌合することにより、リールシート本体１３の軸方向１５の位置決めも可能である。そして、前述のように、長さ寸法Ｃ（図６参照）が所定寸法に設定されることにより、締付ナット１４が主管部２２にねじ込まれた場合に、ナット本体３９がリールシート本体１３をフランジ２３との間で挟み込んで固定すると同時に、可動フード３６及び固定フード３２が釣用リールの脚を挟み込んで固定することができる。つまり、締付ナット１４を締め込む動作のみで、リールシート本体１３及び釣用リールが簡単に固定されるという利点がある。
【符号の説明】
【００３９】
１０・・・リールシート
１１・・・ブランク
１２・・・アダプタ
１３・・・リールシート本体
１４・・・締付ナット
１５・・・軸方向
１６・・・ベース
１７・・・アダプタ本体
２０・・・後端部
２２・・・主管部
２３・・・フランジ
２４・・・前端部
２５・・・雄ネジ
２６・・・キー溝
２７・・・後端部
２８・・・座
２９・・・溝
３０・・・爪
３１・・・シート面
３２・・・固定フード
３４・・・前端部
３６・・・可動フード
３７・・・キー
３９・・・ナット本体
【図１】
2019154371.tif 000003
【図２】
2019154371.tif 000004
【図３】
2019154371.tif 000005
【図４】
2019154371.tif 000006
【図５】
2019154371.tif 000007
【図６】
2019154371.tif 000008
【図７】
2019154371.tif 000009
【図８】
2019154371.tif 000010
【図９】
2019154371.tif 000011
【図１０】
2019154371.tif 000012
【図１１】
2019154371.tif 000013
【図１２】
2019154371.tif 000014
【図１３】
2019154371.tif 000015
【図１４】
2019154371.tif 000016
【図１５】
2019154371.tif 000017